(57)【特許請求の範囲】
【請求項１】
各カードの残度数をカード識別情報に対応して管理する管理装置と、
遊技機に付設され、前記カードから読み取ったカードデータを前記管理装置に送信して前記管理装置と通信を行うことにより、前記管理装置が前記カード識別情報に対応して管理する残度数の範囲内で前記遊技機に遊技媒体を供給するカード処理装置と
を具備する遊技媒体供給システムであって、
前記管理装置は、
各カードの残度数及び該カードの使用を許可する使用許可情報を各カードのカード識別情報に対応して記憶する記憶手段と、
前記カード処理装置から前記カードデータを受信した際に、該カードデータに含まれる使用許可情報と前記記憶手段に記憶したカード識別情報に対応する使用許可情報とを照合して該カードの有効無効を判断する判断手段と、
前記判断手段により該カードが有効であると判断された場合は、カード識別情報に対応して新たな使用許可情報を算定し、該算定した新たな使用許可情報で前記記憶手段に記憶したカード識別情報に対応する使用許可情報を更新する更新手段と、
前記更新手段による使用許可情報の更新後に、該更新した新たな使用許可情報を前記カード処理装置に返信する返信手段と
を具備し、
前記カード処理装置は、
前記新たな使用許可情報の受信により前記遊技機に対する遊技媒体の供給可能状態に制御する制御手段と、
前記遊技媒体の供給可能状態における前記遊技機に対する遊技媒体の供給完了に対応して前記カードの残度数を更新し、該更新した残度数を前記管理装置に通知する通知手段と
を具備し、
前記管理装置は、前記通知手段により通知された残度数により前記記憶手段に記憶した前記カード識別情報に対応する残度数を更新することを特徴とする遊技媒体供給システム。
【請求項２】
前記カード処理装置は、
前記管理装置から受信した新たな使用許可情報で前記カードの使用許可情報を更新記録するとともに、前記遊技機に対する遊技媒体の供給完了に対応して前記カードの残度数を更新記録する手段と
を具備することを特徴とする請求項１記載の遊技媒体供給システム。
【発明の詳細な説明】
【０００１】
【発明の属する技術分野】
本発明は、ＩＤ番号等の識別データが記録されたプリペイドカードを使用する遊技場における遊技媒体供給システムに関し、特に、カードにそれぞれ付与した識別情報を用いて各カードごとの残度数を管理装置で管理し、偽造カードの使用を防止する際に、同じ識別情報を持つ複数の偽造カードが同時期に使用された場合でも、玉切れ等への対処を容易にしつつ、遊技媒体の不正な投出を未然に防止する遊技媒体供給システムに関する。
【０００２】
【従来の技術】
従来、パチンコ店に代表される各種遊技店では、各店舗共通に使用できるプリペイドカードを導入して、パチンコ玉等の遊技媒体を遊技客に提供することが多い。
【０００３】
すなわち、遊技客は、パチンコ等の遊技に先立ってあらかじめプリペイドカードを購入し、購入したプリペイドカードをパチンコ台の横に設置した玉貸機に挿入して玉貸ボタンを押し、パチンコ玉の提供を受ける。
【０００４】
これにより、各遊技客は、プリペイドカードの残額がなくなるまでパチンコ玉を借りることができる。なお、途中で遊技を終了する場合には、パチンコ台に設けられたカード返却ボタンを押し、残額が記録されたプリペイドカードの返却を受けることになる。
【０００５】
しかしながら、かかるプリペイドカードを用いたカードシステムでは、遊技客の利便を優先してプリペイドカードを各店舗共通に使用可能としたために、かえって偽造カードが横行する結果を招き、大きな社会的問題となっている。
【０００６】
このため、偽造カードを防ぐ各種カードシステムに関する技術が提案されている。
【０００７】
例えば、特開昭６１−１４３０８５号公報には、カード１枚毎にＩＤ番号をとることによってカードの偽造防止を図る玉貸システムが開示されており、具体的には、新規のカードを発行する際に、店のコンピュータにＩＤ番号の登録要求を行ない、カード発行機がその結果を店のコンピュータから受信した後に、カードにそのＩＤ番号等を含むデータの印字及び磁気データの記録を行なうよう構成している。
【０００８】
ここで、この従来技術では、玉貸を受ける毎に、磁気カードにあらかじめ登録した玉貸使用回数を減算し、その都度新たな玉貸使用回数をコンピュータに更新登録することとしている。
【０００９】
例えば、一度に５度数（５００円分）の引き出し要求が行われた際に、磁気カードの残度数が５度数以上ある場合には、この５度数を減算してコンピュータに登録した後、玉の投出を許可することになる。
【００１０】
【発明が解決しようとする課題】
しかしながら、かかる従来技術を用いた場合に、パチンコ玉の投出途中で玉切れ等が生じると、減算が完了済みであるにもかかわらず、パチンコ玉の投出が完了していない状況が生じるため、係員による複雑なエラー処理が必要になるという問題がある。
【００１１】
このため、残度数の減算を行う前にパチンコ玉の投出指令を出し、パチンコ玉の投出が完了した後に減算を行うようにすれば、上記玉切れ等の問題を解消することができる。
【００１２】
ところが、上記のように減算前に送出指令を出すよう構成すると、コピーされた複数の偽造カードを同時期に使用された場合に、パチンコ玉が並行して投出されるため、パチンコ玉のただ取りが可能となる。
【００１３】
すなわち、本来は磁気カードごとの残度数は店内のコンピュータがＩＤ番号ごとに管理しているため、同じＩＤ番号を持つ偽造カードを使用したとしても、挿入された磁気カードの残高とコンピュータが管理する残高が異なるために残度数以上のパチンコ玉を引き出すことはできないわけであるが、同じＩＤ番号を持つ偽造カードが同時使用されると、パチンコ玉のただ取りを防ぐことができない。
【００１４】
このように、同じＩＤ番号を持つ偽造カードが使用された場合に、玉切れ等への対処を容易にしつつ、パチンコ玉の不正な投出をいかにして未然に防止するかが重要な課題となっている。
【００１５】
そこで、本発明では上記課題を解決し、カードにそれぞれ付与した識別情報を用いて各カードごとの残度数を管理装置で管理し、偽造カードの使用を防止する際に、同じ識別情報を持つ複数の偽造カードが同時期に使用された場合でも、玉切れ等への対処を容易にしつつ、遊技媒体の不正な投出を未然に防止することができる遊技媒体供給システムを提供することを目的とする。
【００１６】
【課題を解決するための手段】
上記目的を達成するため、請求項１の発明は、各カードの残度数をカード識別情報に対応して管理する管理装置と、遊技機に付設され、前記カードから読み取ったカードデータを前記管理装置に送信して前記管理装置と通信を行うことにより、前記管理装置が前記カード識別情報に対応して管理する残度数の範囲内で前記遊技機に遊技媒体を供給するカード処理装置とを具備する遊技媒体供給システムであって、前記管理装置は、各カードの残度数及び該カードの使用を許可する使用許可情報を各カードのカード識別情報に対応して記憶する記憶手段と、前記カード処理装置から前記カードデータを受信した際に、該カードデータに含まれる使用許可情報と前記記憶手段に記憶したカード識別情報に対応する使用許可情報とを照合して該カードの有効無効を判断する判断手段と、前記判断手段により該カードが有効であると判断された場合は、カード識別情報に対応して新たな使用許可情報を算定し、該算定した新たな使用許可情報で前記記憶手段に記憶したカード識別情報に対応する使用許可情報を更新する更新手段と、前記更新手段による使用許可情報の更新後に、該更新した新たな使用許可情報を前記カード処理装置に返信する返信手段とを具備し、前記カード処理装置は、前記新たな使用許可情報の受信により前記遊技機に対する遊技媒体の供給可能状態に制御する制御手段と、前記遊技媒体の供給可能状態における前記遊技機に対する遊技媒体の供給完了に対応して前記カードの残度数を更新し、該更新した残度数を前記管理装置に通知する通知手段とを具備し、前記管理装置は、前記通知手段により通知された残度数により前記記憶手段に記憶した前記カード識別情報に対応する残度数を更新することを特徴とする。
【００１７】
また、請求項２の発明は、請求項１の発明において、前記カード処理装置は、前記管理装置から受信した新たな使用許可情報で前記カードの使用許可情報を更新記録するとともに、前記遊技機に対する遊技媒体の供給完了に対応して前記カードの残度数を更新記録する手段とを具備することを特徴とする。
【００１９】
【発明の実施の形態】
以下、本発明の実施の形態について図面を参照して説明する。なお、ここでは本発明をパチンコ遊技に適用した場合について説明する。
【００２０】
図２は、本実施の形態で用いる遊技媒体供給システムのシステムブロック図である。
【００２１】
同図に示すように、パチンコ店内（以下「ホール」と言う。）は、ターミナルコントローラ（Ｔ／Ｃ）１０に、各島ごとに配設される島コントローラ４０が接続され、島コントローラ（Ｓ／Ｃ）４０には、パチンコ台６０、カードユニット７０及び台ランプ８０からなる複数の遊技ユニット５０並びにカード発行機２０が接続される。
【００２２】
ターミナルコントローラ１０は、ホール内のパチンコ台の稼動状況、顧客管理、パチンコ玉の供給管理及び偽造カードの不正使用の防止等を行うコンピュータであり、ホールに配設される各種パチンコ台６０、カードユニット７０及び券売機２０等のデータを統括管理する。
【００２３】
具体的には、このターミナルコントローラ１０は、カード発行機２０が新たなプリペイドカードを発行する度に、各プリペイドカードに対して独自のＩＤ番号及び使用許可番号を付与し、該ＩＤ番号毎にプリペイドカードの残高数及び使用許可番号等を管理する。
【００２４】
そして、プリペイドカードがカードユニット７０に挿入される都度、ターミナルコントローラ内で管理する使用許可番号を更新するとともに、更新した使用許可番号を該当するカードユニット７０に出力する。
【００２５】
ここで、この使用許可番号とは、本発明が導入した新たな概念であり、プリペイドカードをコピーした複数の偽造カードを同時期に使用された場合の不要なパチンコ玉の投出を防止するためのデータである。
【００２６】
なお、このターミナルコントローラ１０は、公衆回線網を介して図示しないセンターの管理コンピュータに接続され、該センターの管理コンピュータが各パチンコ店の各種状況を集中管理する。プリペイドカードを各店舗共通で使用できるようにするためである。
【００２７】
遊技ユニット５０を形成するパチンコ台６０、カードユニット７０及び台ランプ８０は、一体となって遊技客にパチンコ遊技を提供し、具体的には、カードユニット７０のカード挿入口にプリペイドカードを挿入すると、パチンコ台６０の表示部に残度数を表示する。
【００２８】
そして、パチンコ台６０に設けた玉貸ボタンを１回押下すると、例えば５度数（５００円）分のパチンコ玉が上皿に供給され、パチンコ台６０の表示部に表示した残度数がその分減じられる。
【００２９】
ただし、かかるパチンコ玉の供給及び残度数の減算は、パチンコ台６０及びカードユニット７０においてローカルに行われるのではなく、偽造カードによる不正行為を防止するために、ターミナルコントローラ１０を介して行われる。
【００３０】
すなわち、このターミナルコントローラ１０は、各プリペイドカードの残度数及び使用許可番号等をＩＤ番号ごとに管理しているため、かかるターミナルコントローラ１０が管理するデータと、カードユニット７０に挿入されたプリペイドカードが有するカードデータ（発行日付、発行店コード、発行号機、現在度数、ＩＤ番号及び使用許可番号等）とを照合して、後述する要領で不正なカードを判別する。
【００３１】
カード発行機２０は、遊技客が金銭を投入してプリペイドカードの購入操作を行った際に、ターミナルコントローラ１０から付与されたＩＤ番号及び使用許可番号、並びに投入金額に対応する度数等を磁気記録したプリペイドカードを発行する端末である。
【００３２】
このカード発行機２０が発行するプリペイドカードの一例を図３を用いて説明する。
【００３３】
図３に示すように、このプリペイドカードには、パチンコ店名「パチンコパーラー」、ＩＤ番号「２２２２−３３３３−４４４４−５５５５」、有効期限「９８年９月３０日」、発行金額「５０００円」が印字され、また、上記ＩＤ番号「２２２２−３３３３−４４４４−５５５５」、有効期限「９８年９月３０日」、発行金額「５０００円」に対応する度数、発行日時及び使用許可番号等が磁気記録される。
【００３４】
パチンコ店の遊技客は、パチンコ遊技を行う前にかかるプリペイドカードを取得し、取得したプリペイドカードをカードユニット７０に挿入して、玉貸ボタンを押下することにより、パチンコ玉の供給を受けることができる。
【００３５】
次に、本発明に係わる使用許可番号を取り扱うターミナルコントローラ１０及びカードユニット７０について具体的に説明する。
【００３６】
図１は、本発明に係わるターミナルコントローラ１０及びカードユニット７０の構成を示す機能ブロック図である。なおここでは、使用許可番号に係わる機能部のみを詳細に説明することとし、その他の部位の詳細な説明を省略する。
【００３７】
同図に示すように、ターミナルコントローラ１０は、通信インターフェース部（通信Ｉ／Ｆ部）１０ａと、記憶部１０ｂと、使用許可番号算定部１０ｃと、使用許可番号照合部１０ｄと、制御部１０ｅとからなる。
【００３８】
通信インターフェース部１０ａは、島コントローラ（Ｓ／Ｃ）４０を介してカードユニット７０との間でデータ授受するためのインターフェースを司る処理部である。
【００３９】
記憶部１０ｂは、各プリペイドカードの残度数及び使用許可番号をＩＤ番号ごとに記憶する記憶部であり、カード発行機２０が新規にプリペイドカードを発行した時点では初期データを記憶し、プリペイドカードが使用された場合には、更新された残度数及び使用許可番号を記憶する。
【００４０】
使用許可番号算定部１０ｃは、プリペイドカードがカードユニット７０に挿入された際に、新たに付与すべき使用許可番号を乱数を用いて算定する処理部である。
【００４１】
ここで、この使用許可番号算定部１０ｃでは、同じＩＤ番号を持つ複数の偽造カードが複数のカードユニット７０に同時期に挿入された場合に、同じ使用許可番号を付与しないよう構成する必要がある。
【００４２】
このため、本実施の形態では、現使用許可番号と、ＩＤ番号と、カード挿入日時とをそれぞれ２進数表現し、これらに所定の論理演算を施して乱数を生成するフィードバックシフトレジスタの初期値とし、カードユニット７０の識別番号をフィードバック係数として、新たな使用許可番号を算出することとしている。
【００４３】
ただし、本発明はかかる演算に限定されるものではなく、同じＩＤ番号を持つ複数の偽造カードが複数のカードユニット７０に同時期に挿入された場合に、同じ使用許可番号を付与しない演算であれば良い。
【００４４】
使用許可番号照合部１０ｄは、カードユニット７０にプリペイドカードが挿入された際と、カードユニット７０から玉貸要求を受け付けた際に、記憶部１０ｂに記憶した該当するＩＤ番号の使用許可番号と、カードユニット７０から受け付けた使用許可番号とを照合して、カード使用の可否と玉貸の可否を判定する処理部である。
【００４５】
例えば、プリペイドカードが挿入され、当初付与された使用許可番号「１１００」から「２３０１」に更新されたにもかかわらず、カードユニット７０から挿入されたカードのデータとして前回の使用許可番号「１１００」が送信された場合には、初期状態でコピーされた偽造カードが挿入された蓋然性が高いため、かかる使用許可番号照合部１０ｄの照合結果を踏まえて、使用許可番号が合致しないカードをリジェクトする。
【００４６】
制御部１０ｅは、ターミナルコントローラ１０の全体制御及びカードユニット７０の動作制御を行う制御部である。
【００４７】
具体的には、カードユニット７０が送信したカードデータを島コントローラ４０を介して受信したならば、使用許可番号照合部１０ｄにカードデータに含まれる使用許可番号と記憶部１０ｂに記憶した使用許可番号とを照合させ、両者が一致しない場合には、カードユニット７０にエラーダウンする旨を通知する。
【００４８】
一方、両使用許可番号が一致する場合には、使用許可番号算定部１０ｃに新たな使用許可番号を算定させ、算定させた使用許可番号により記憶部１０ｂの内容を更新するとともに、新たな使用許可番号をカードユニット７０に送信する。なお、新たな使用許可番号はカードユニット７０によってプリペイドカードに磁気記録される。
【００４９】
なお、この制御部１０ｅは、玉貸要求を受けつけたならば、記憶部１０ｂに記憶した残度数をチェックし残度数があれば玉貸を許可し、玉の投出が完了したときの完了信号を受けると記憶部１０ｂに記憶した残度数から投出された度数を減算し、減算後の残度数により記憶部１０ｂの記憶内容を更新した後、新たな残度数をカードユニット７０に送信する。
【００５０】
上述したターミナルコントローラが管理装置に相当し、又、記憶部１０ｂが記憶手段に、使用許可番号照合部１０ｄが照合手段に、使用許可番号算定部１０ｃが算定手段に、制御部１０ｅと通信インターフェース部１０ａとが使用許可データ処理手段に、各々相当している。
【００５１】
次に、カードユニット７０の構成について具体的に説明する。
【００５２】
図１に示すカードユニット７０は、ターミナルコントローラ１０との通信インターフェースを司る通信インターフェース部（通信ＩＦ部）７０ａと、プリペイドカードに磁気記録されたカードデータの読み込み及びカードデータの書き換えを行うカードリーダライタ７０ｂと、カードリーダライタ７０ｂがプリペイドカードから読み出したカードデータをターミナルコントローラ１０に送信するカード情報送信部７０ｃとを有する。
【００５３】
そして、このカードユニット７０が、ターミナルコントローラ１０にカードデータを送信した後、ターミナルコントローラ１０から新たな使用許可番号を受け付けたならば、カード挿入口に挿入されたカードが正当なプリペイドカードであるとみなして、パチンコ台６０へのパチンコ玉の供給を許可する。
【００５４】
これに対して、ターミナルコントローラ１０からエラーダウンをする旨の通知を受け付けたならば、カード挿入口に挿入されたカードが不正なカードであるとみなしてエラーダウンする。
【００５５】
なお、遊技客がパチンコ台６０に設けた返却ボタンを押下したならば、カードリーダライタ７０ｂは、新たな使用許可番号及び残度数をプリペイドカードに磁気記録した後に、プリペイドカードを排出する。
【００５６】
上記構成を有するターミナルコントローラ１０及びカードユニット７０を用いることにより、同じＩＤ番号を持つ複数のカードが使用された場合であっても、使用許可番号を用いて不正なカードを検出することができる。
【００５７】
次に、図２に示す遊技ユニット５０について具体的に説明する。
【００５８】
図４は、図２に示す遊技ユニット５０の一例を示す正面図であり、同図に示すように、かかる遊技ユニット５０は、パチンコ台６０と、その左に設置されるカードユニット７０と、その上部に配設される台ランプ部８０とで構成される。
【００５９】
パチンコ台本体６１には、カード残高を表示する度数表示部６２と、玉貸しが可能であることを示す玉貸し可能表示ランプ６３と、遊技客による押下操作によってあらかじめ設定された所定の金額分（例えば５００円分）の玉を排出するための玉貸ボタン６４と、カード返却時に使用する返却ボタン６５などが設けられている。
【００６０】
台ランプ部８０は、左右に設けられた２つのメインランプ８１、中央付近に設けられた大当たり回数表示部８２、食事中表示部８３、ラッキー表示部８４、無制限表示部８５、食事中ボタン８６、呼び出しボタン８７及び切り替えボタン８８を備えている。
【００６１】
図５は、図４に示すカードユニット７０の一例を示す正面図であり、状態表示ランプ７１はカード挿入可能時に点灯し、カード引き抜きの発生などのアラーム発生時や遊技台未接続時に点滅する。
【００６２】
取手７２は、カードユニット全体を引き出す際に使用される取手であり、該取手７２の下には台方向表示ランプ７３が設けられ、利用可能なパチンコ台がカードユニットの右側又は左側のいずれにに存在しているかを表示する。ここでは、この台方向表示ランプ７３が右向きの矢印としているため、パチンコ台６０がカードユニット７０の右側に位置することになる。
【００６３】
種別表示ランプ７４は、遊技媒体の種別がパチンコ玉であるかメダルであるかを表示するランプであり、その下に配設された金額表示部７５には、金額設定ボタン７６によって設定された金額を表示する。
【００６４】
金額設定ボタン７６は、遊技者によって押下される都度、一度に払い出す度数を変更できるボタンであり、例えば、度数５（５００円分）、度数３（３００円分）、度数１（１００円分）、度数１０（１０００円分）、と巡回的に変更することができる。
【００６５】
端数表示ボタン７７は端数表示を指示するボタンであり、挿入口７８はプリぺイドカードを挿入するための挿入口であり、リセットキー７９は、金額設定値等を初期状態に復帰するためのキーである。
【００６６】
かかる前面配置を有するカードユニット７０は、挿入口７８へのプリペイドカードの挿入がなされると、カードデータを島コントローラ４０を介してターミナルコントローラ１０に出力し、該ターミナルコントローラ１０から新たな使用許可番号を受け付けると、玉貸可能な状態となる。
【００６７】
したがって、その後にパチンコ台６０からの玉貸要求を受け付けると、残高を計算して記憶するとともにパチンコ台６０に残高情報を送信し、また、玉購入額情報を島コントローラ４０に対して出力する。
【００６８】
次に、図１に示すターミナルコントローラ１０及びカードユニット７０の処理手順について説明する。
【００６９】
図６は、図１に示すターミナルコントローラ１０及びカードユニット７０のカード挿入時の処理手順を示すフローチャートである。
【００７０】
同図に示すように、カードユニット７０のカード挿入口７８にプリペイドカードが挿入されると、このプリペイドカードからカードデータを読み込み（ステップ６０１）、ターミナルコントローラ１０に送信して（ステップ６０２）、処理待ち状態に移行する。
【００７１】
そして、ターミナルコントローラ１０がカードデータを受信すると（ステップ６０３）、該カードデータから使用許可番号を取り出し、記憶部１０ｂに記憶した該当するＩＤ番号の使用許可番号と照合する（ステップ６０４）。
【００７２】
その結果、両者が一致したならば、新たな使用許可番号を算定し（ステップ６０６）、記憶部１０ｂに記憶した使用許可番号を新たな使用許可番号に更新し（ステップ６０７）、新たな使用許可番号を含むメッセージをカードユニット７０に返送して（ステップ６０８）、処理を終了する。
【００７３】
これに対して、ステップ６０５において両者が一致しない場合には、エラーダウンを示すメッセージをカードユニット１０に送信して（ステップ６０８）、処理を終了する。なお、使用許可番号の照合時には、カードの残度数も照合しており、残度数が一致しないときもエラーダウンとなる。
【００７４】
そして、カードユニット７０では、ターミナルコントローラ１０が送信したメッセージを受信し（ステップ６０９）、該メッセージがエラーダウンメッセージである場合には（ステップ６１０）、エラーダウンする。
【００７５】
一方、該メッセージに新たな使用許可番号が含まれている場合には（ステップ６１０）、使用許可番号を更新した後（ステップ６１１）、パチンコ台６０への玉貸可能状態に移行する（ステップ６１２）。
【００７６】
上記一連の処理を行うことにより、カードユニット７０にカードが挿入された際に、該カードが正当な使用許可番号を保持する場合には新たな使用許可番号を付与することができる。
【００７７】
次に、かかる新たな使用許可番号を付与する理由を具体的に説明する。
【００７８】
図７は、正当なプリペイドカードとコピーされた偽造カードがほぼ同時期に使用された場合のタイムシーケンスを示す図である。ここでは、使用許可番号（１１００）を持つプリペイドカードをカードユニットＢに挿入し、カードユニットＢから排出する前に、同じＩＤ番号及び使用許可番号（１１００）を持つ偽造カードがカードユニットＡに挿入された場合を示すこととする。なお、新たな使用許可番号は２３０１とする。
【００７９】
同図に示すように、まずカード発行機２０が使用許可番号１１００を有するプリペイドカードを発行する際に、あらかじめターミナルコントローラ１０に使用許可番号１１００をＩＤ番号と対応づけて記憶部１０ｂに記憶しておく（ステップ７０１）。このとき同時に発行金額並びに残度数（最初は発行金額に相当する度数が残度数となる）を記憶しておく。
【００８０】
そして、カードユニットＢに該プリペイドカードが挿入され（ステップ７０２）、使用許可番号１１００を含むカードデータがターミナルコントローラ１０に送信されると（ステップ７０３）、使用許可番号が一致するため、新たな使用許可番号２３０１が算定され（ステップ７０４）、記憶部１０ｂに格納される（ステップ７０５）。図示しないが、挿入されたカードの残度数のデータもターミナルコントローラへ送信され、そのチェックも行なっている。
【００８１】
また、この新たな使用許可番号２３０１を含むメッセージが、カードユニットＢに送信され（ステップ７０６）、カードユニットＢが保持する使用許可番号が更新され、玉貸可能状態に移行する（ステップ７０７〜７０８）。
【００８２】
なお、かかる使用許可番号２３０１は、プリペイドカードに磁気記録する必要があるが、受信した直後に磁気記録するかわりに、カード排出直前に磁気記録することもできる。
【００８３】
かかる状況下で、カードユニットＡに対して、同じＩＤ番号及び使用許可番号（１１００）を持つ偽造カードが挿入されると（ステップ７０９）、使用許可番号１１００がターミナルコントローラ１０に送信される（ステップ７１０）。
【００８４】
そこで、ターミナルコントローラ１０は、受信した使用許可番号を記憶部１０ｂに記憶した使用許可番号と照合することとなるが、この場合には両者が一致しないため（ステップ７１１）、エラーダウンメッセージがカードユニットＡに返送され（ステップ７１２）、カードユニットＡがエラーダウンする（ステップ７１３）。
【００８５】
そして、パチンコ台からカードユニットＢに玉貸要求がなされると（ステップ７１４）、該玉貸要求がターミナルコントローラ１０に送信され（ステップ７１６）、該当するＩＤ番号に残度数が存在する場合には（ステップ７１７）、玉貸が許可される（ステップ７１８）。
【００８６】
このため、カードユニットＢは、パチンコ台に対して所定数の玉貸を許可してパチンコ玉の投出を行わせ（ステップ７１８）、パチンコ玉の投出が完了したならば、投出完了通知をターミナルコントローラ１０に送信する（ステップ７１９）。
【００８７】
その後、ターミナルコントローラ１０は、記憶部１０ｂに記憶した残度数から投出したパチンコ玉に対応する度数を減算して記憶内容を更新する（ステップ７２０）。
【００８８】
このように、上記一連の処理を行うことにより、パチンコ玉を投出した後にターミナルコンピュータ１０の残度数を減算する構成を採用する場合であっても、不必要なパチンコ玉の投出を回避することができる。
【００８９】
すなわち、従来技術では、同じＩＤ番号を持つカードがカードユニットＡ及びＢで同時期に使用された場合に、いずれのカードも有効とみなしていたために、玉貸要求が複数のカードユニットからほぼ同時期になされると、カードユニットＡ及びＢの両者に玉貸許可を行うという問題があった。
【００９０】
しかしながら、本実施の形態では、正当なプリペイドカードを単にコピーして、同じＩＤ番号及び使用許可番号を持つ複数の偽造カードを同時に使用したとしても、使用許可番号がその都度更新されるよう構成したので、パチンコ玉の不当な投出を防止できることとなる。
【００９１】
またここでは、カードユニットＢに正当なプリペイドカードを挿入した後、カードユニットＡに偽造カードを挿入する場合を示したが、先に偽造カードをカードユニットＡに挿入した場合や、両者がともに偽造カードである場合にも同様の結果となる。
【００９２】
また、ステップ７０６で使用許可番号のみ返信しているが、残度数も併せて返信してもよい。
【００９３】
また、ステップ７１４〜７１７で玉貸要求時にターミナルコントローラへ問い合わせているが、カードユニット側でのみ残高を確認して玉貸し許可を出してもよい。
【００９４】
なお、本実施の形態では、本発明をパチンコ遊技に適用する場合について説明したが、本発明はこれに限定されるものではなく、スロットマシンや遊技媒体を伴う他のゲーム機に適用することも可能である。
【００９５】
【発明の効果】
以上詳細に説明したように、本発明によれば、カードの使用毎に更新される使用許可情報を用いてカードの有効無効を判断するとともに、管理装置にカード識別情報に対応して記憶管理されるカードの残度数をカード処理装置による遊技媒体の供給完了後に行うようにしたので、下記に示す効果が得られる。
【００９６】
１）同じ識別情報を持つ複数の偽造カードが同時期に使用された場合であっても、遊技媒体の不正な投出を未然に防止することができる。
【００９７】
２）玉切れ等への対処を容易にすることができる。
【図面の簡単な説明】
【図１】本発明に係わるターミナルコントローラ及びカードユニットの構成を示す機能ブロック図。
【図２】本実施の形態で用いる遊技媒体供給システムのシステムブロック図。
【図３】図２に示すカード発行機が発行するプリペイドカードの一例を示す図。
【図４】図２に示す遊技ユニットの一例を示す正面図。
【図５】図４に示すカードユニットの一例を示す正面図。
【図６】図１に示すターミナルコントローラ及びカードユニットのカード挿入時の処理手順を示すフローチャート。
【図７】正当なプリペイドカードとコピーされた偽造カードがほぼ同時期に使用された場合のタイムシーケンスを示す図。
【符号の説明】
１０…ターミナルコントローラ、  ２０…カード発行機、
４０…島コントローラ、  ５０…遊技ユニット、  ６０…パチンコ台、
７０…カードユニット、  ８０…台ランプ、
１０ａ…通信Ｉ／Ｆ部、  １０ｂ…記憶部、
１０ｃ…使用許可番号算定部、  １０ｄ…使用許可番号照合部、
１０ｅ…制御部、
７０ａ…通信Ｉ／Ｆ部、  ７０ｂ…カードリーダライタ、
７０ｃ…カード情報送信部、  ７０ｄ…制御部
【図１】
0004215848.tif 000002
【図２】
0004215848.tif 000003
【図３】
0004215848.tif 000004
【図４】
0004215848.tif 000005
【図５】
0004215848.tif 000006
【図６】
0004215848.tif 000007
【図７】
0004215848.tif 000008